(57)【要約】 【課題】  容器２内の塗料３の残量が少なくなっても押ボタン６の底側に取着されているブラシ４によって容易に塗布することができると共に、使用時に押ボタン６を数回押すことで容器２の底に沈殿している金粉・銀粉１５を塗料３中に均一に分散した状態に戻し得るブラシ付き塗装容器１を提供する。【解決手段】  塗料３を被塗体に塗るブラシ４をキャップ本体５の上部内側に遊挿される押ボタン６の底側に取着し、押ボタン６の底部とキャップ本体５の上部内側の遊挿基部７間にスプリング８を介在させる一方、スプリング８の復元力に抗して、押ボタン６の底部に形成されたストッパー部１３をキャップ本体５の上部内側の遊挿基部７に形成されたストッパー係止部１４に係止することによって、押ボタン６を押下げ位置に係止するようにした。【選択図】    図３
0003102984.tif 000002
【実用新案登録請求の範囲】
【請求項１】
容器内に充填されている塗料を被塗体に塗るブラシがキャップ本体の上部内側に遊挿される押ボタンの底側に取着されており、前記押ボタンの底部とキャップ本体の上部内側の遊挿基部間にスプリングを介在させる一方、上記スプリングの復元力に抗して、上記押ボタンの底部に形成されたストッパー部を上記キャップ本体の上部内側の遊挿基部に形成されたストッパー係止部に係止することによって、上記押ボタンを押下げ位置に係止するようにしたことを特徴とする、ブラシ付き塗装容器。
【考案の詳細な説明】
【技術分野】
【０００１】
本考案は、マニキュアや粘性のある接着剤、塗料等の液体を容器内でブラシ本体によって容易に撹拌し得ると共に容器内の塗料の残量が少なくなった場当でも当該ブラシによって容易に塗布することができるブラシ付き塗装容器に関する。
【背景技術】
【０００２】
従来、マニキュアやプラモデル用塗料、接着剤などの粘性液は、これらの塗料を被塗体に塗るときに便利なように、ブラシなどの塗布具付き容器に充填されていることが多く、既に種々の機構によるものが案出されている。
【０００３】
例えば、図５は広く知られているマニキュア用のブラシ付き容器を示している。ここで、図５に示されているブラシ付き容器の蓋体の裏面にブラシが固着されており本体容器に装着密閉した状態となっている。この場合、図示のように上記ブラシの先端は当該容器の底面に接するような位置関係になっている。そこで、このブラシ付き容器によってマニキュアを塗る際には、上記蓋体を本体容器に対して反時計方向に回転させて蓋体を分離し、当該ブラシに含まれている塗料を爪などに塗り、使用後は上記蓋体を本体容器に対して時計方向に回転させて蓋体を閉めるようにしていた。しかしながら、本体容器内の塗料の残量が少なくなった場合には、当該ブラシの先端に塗料が付着する位置まで到達させるために、当該蓋体を閉め直す操作によって上記塗料をブラシに付着させる必要があり、極めて煩わしいものであった。
【０００４】
そこで上記のように、本体容器内の塗料の残量が少なくなった場合でも、煩わしい操作が必要なく有効に塗料を使いきることができる容器の提案が求められている。更に近年、前記従来のマニキュア用のブラシ付き容器の欠点を解決することを目的とするものとして、特開２００３−２００６２号に係る発明も見受けられる。ここで、当該発明の第一の要旨は、容器内に充填されている塗料を被塗体に塗るブラシが蓋底に取り付けられたブラシ付き蓋において、前記ブラシを蓋底に対して上下方向にスライド可能又は前記ブラシのロッドを伸縮可能にして、前記容器に対して回転したときに当該ブラシの先端が上下方向に移動しないようにしたものである。また、上記発明の第二の要旨は、容器内に充填されている塗料を被塗体に塗るブラシが蓋底に取り付けられたブラシ付き蓋において、前記ブラシは蓋底に形成した貫通孔に、上部に押下部を設けたロッドを貫通させた状態で取り付けており、前記押下部を押下した時および前記容器に装着するために回転した時に蓋本体に対してスライドするようにしたものであった。上記構成によれば、容器内の塗料が少なくなっても、蓋をいちいち閉めたり、容器を傾けたりすることなくブラシの先端を塗料に接するようにすることが可能となり、ブラシ付き容器の使用時の利便性を向上させることができるというものである。
【特許文献１】特開２００３−２００６２号公報
【考案の開示】
【考案が解決しようとする課題】
【０００５】
上記従来の技術の項に記載のように、従来広く知られているマニキュア用のブラシ付き容器は、容器内の塗料の残量が少なくなった場合には、ブラシの先端に塗料が付着する位置まで到達させるために、蓋体を閉め直すと共に容器を傾ける操作によって残存塗料をブラシに付着させる必要があり、極めて煩わしいものであったという欠点があった。
【０００６】
更に、従来の技術の項に記載の特開２００３−２００６２号に係るブラシ付き蓋及びそれを備えた容器は、容器内の塗料が少なくなっても、蓋をいちいち閉めたり、容器を傾けたりすることなくブラシの先端を塗料に接するようにすることを可能ならしめるものであるが、ブラシ付き蓋において、当該ブラシを蓋底に対して上下方向にスライド可能又は上記ブラシのロッドを伸縮可能にするために、先ず、スライド可能としたタイプのものは上記蓋の内側面と取付部の外側面との間でスライドするように構成されているので、上記蓋を上下方向に細長く設計する必要があり、デザイン的に観てくれが悪いという欠点がある。更に、前記ブラシのロッドを伸縮可能としたものにあっては、その明細書中には詳しい記載が無いが、使用者が直接指先で当該ロッドを引き伸ばさなくてはならないものと推定され、この場合は指先が塗料により汚染される等の支障が考えられる。続いて近年、多様なカラーバリエーションの要請から金粉、銀粉等が混入されているタイプの塗料が市販されている。そこで、この種のタイプの塗料は使用の際、容器本体を振り動かし撹拌することによって当該容器の底に沈殿している金粉、銀粉等を塗料中に均一に分散した状態に戻してから被塗体に塗装されるものであるが、従来広く知られているマニキュア用のブラシ付き容器及び上記特開２００３−２００６２号に係るブラシ付き蓋及びそれを備えた容器によっては、容器本体を振り動かし撹拌する際に容器内側面の上方部までも塗らしてしまうことから、塗料漏れや更には漏れ出た塗料の堆積皮膜によって蓋と容器の密閉に支障を来すなどといった欠点も考えられる。そこで、本考案は上記従来の技術の記載のブラシ付き蓋及びそれを備えた容器等が有する欠点に鑑み成されたものであり、容器内の塗料の残量が少なくなった場当でも蓋底に取り付けられたブラシによって容易に塗布することができると共に、容器本体を振り動かすことなく上記ブラシによって撹拌し当該容器の底に沈殿している金粉、銀粉等を塗料中に均一に分散した状態に戻し得る、ブラシ付き塗装容器を提供することを目的とする。
【課題を解決するための手段】
【０００７】
上記目的を達成するため、本考案に係るブラシ付き塗装容器は、容器内に充填されている塗料を被塗体に塗るブラシがキャップ本体の上部内側に遊挿される押ボタンの底側に取着されており、前記押ボタンの底部とキャップ本体の上部内側の遊挿基部間にスプリングを介在させる一方、上記スプリングの復元力に抗して、上記押ボタンの底部に形成されたストッパー部を上記キャップ本体の上部内側の遊挿基部に形成されたストッパー係止部に係止することによって、上記押ボタンを押下げ位置に係止するようにしたことを要旨とする。
【考案を実施するための最良の形態】
【０００８】
以下、考案の実施の形態に基づき更に本考案について詳説するものとする。
【０００９】
先ず、図５は広く知られているマニキュア用のブラシ付き容器の模式的断面図である。ここで、図示のものは蓋１００が容器１０１に密着して締め付けられている状態を現している。図示のように、このブラシ付き容器は、蓋１００を閉めたときブラシ１０２の先端は容器１０１の底面に接する程度の長さに設定されている。従って、蓋１００に取付部１０３を介して取付けられているブラシ１０２は、容器１０１内の塗料１０４に接した状態となっている。しかしながら、上記塗料１０４の残量が少なくなった場合には、容器１０１から蓋１００を分離した状態のまま、当該蓋１００を容器１０１に差し入れてもブラシ１０２の先端は残存塗料１０４には届かない。そこで、このように塗料１０４の残量が少なくなった場合には、蓋１００を容器１０１に対して締め付け方向に回動してブラシ１０２を塗料１０４に到達させ、次に反回動して蓋１００を容器１０１から外して爪等の被塗体に塗料１０４を塗るようにしなければならず、この一連の動作を繰り返す
ことは極めて煩雑であった。
【００１０】
次に、図４は特開２００３−２００６２号に係るブラシ付き蓋及びそれを備えた容器の模式的断面図である。ここで、図示のものは蓋５０を容器５１に差し入れた状態を現している。図示のように、このブラシ付き容器は、塗料５２が充填されている容器５１と、容器５１に対して回動することで開閉する蓋５０と、蓋５０の蓋底に取付部５３を介して取着されているブラシ５４と、蓋５０と取付部５３との間に伸縮体であるバネ５５とを備えているものである。以上のような構成によって、ブラシ５４は容器５１に対して蓋５０の開閉に拘らず、その先端が塗料５２に接した状態となっており、上記例示の広く知られているマニキュア用のブラシ付き容器が有していた煩雑な一連動作を行わずに、繰り返して爪等の被塗体に塗料５２を塗ることができる。しかしながら、上記構成による特開２００３−２００６２号に係るブラシ付き蓋及びそれを備えた容器は、その構造的な問題から蓋５０を上下方向に細長く設計する必要があり、デザイン的に観てくれが悪い。
【００１１】
更に、近年市販されている金粉、銀粉等が混入されているタイプの塗料を使用の際には、容器本体を振り動かし撹拌することによって当該容器の底に沈殿している金粉、銀粉等を塗料中に均一に分散した状態に戻してから被塗体に塗装されるものであるが、上記特開２００３−２００６２号に係るブラシ付き蓋及びそれを備えた容器によっては、容器５１本体を振り動かし撹拌する際に容器５１内側面の上方部までも塗らしてしまうことから、塗料漏れや更には漏れ出た塗料の堆積皮膜によって蓋５０と容器５１の密閉に支障を来すなどといった不具合も考えられる。
【実施例１】
【００１２】
一方、図１は本考案に係るブラシ付き塗装容器のキャップ本体を締め付けた状態の模式的断面図、図２は本考案に係るブラシ付き塗装容器のキャップ本体を外した状態の模式的断面図、図３は本考案に係るブラシ付き塗装容器のキャップ本体を外した状態で押ボタンを押し押下げ位置に係止した際の模式的断面図である。
【００１３】
上記図１、図２、図３に図示のように、本考案に係るブラシ付き塗装容器１は、容器２内に充填されている塗料３を被塗体に塗るブラシ４がキャップ本体５の上部内側に遊挿される押ボタン６の底側に取着されており、前記押ボタン６の底部とキャップ本体５の上部内側の遊挿基部７間にスプリング８を介在されている。ここで、容器２に対してキャップ本体５を反時計方向に回動すると、当該キャップ本体５及びキャップ本体５の上部内側に遊挿されている押ボタン６は共に上方回動して、容器２から外される。更に、図示のようにキャップ本体５の上部内側には、上記押ボタン６の底部からボタン頭部９近くまで間がスライドできるようにスライド部１０が設けられている。続いて、図示のようにブラシ４は押ボタン６の底面に取着されているが、図１のようにキャップ本体５の締め付け状態の際、ブラシ４の先端が容器２の底面に接する程度の長さに設定されている。一方、押ボタン６の底部に取着された上記ブラシ４は、キャップ本体５の底部を挿通している。またここで、図中の符号１１は液漏れ防止中栓１１であり、中栓に固定されている液漏れ防止パッキンがブラシ固定棒に付着した塗料を掻き落とす役割と、キャップ本体内への流入を抑える作用をなし、上記押ボタン６の底部に具設され、容器２内の塗料３がキャップ本体５内に流入しないなうに施されており、更に図中の符号１２はブラシ４の所定位置に固着されている液漏れ防止外栓１２であり、上記図１のように、容器２に対してキャップ本体５を締め付けた状態の際に、液漏れ防止中栓１１と液漏れ防止外栓１２は密着して容器２内の塗料３がキャップ本体５内への流入と、キャップ本体５外への流出を完全阻止するようにしている。
【００１４】
一方、図２では本考案に係るブラシ付き塗装容器１において、容器２からキャップ本体５を外した状態のものであるが、容器２内にある程度塗料３が残存している場合には、この状態のままに上記ブラシ４に塗料３を付着させて被塗体への塗装を繰り返すことができる。しかしながら、上記容器２内の塗料３の残量が少なくなった場合には、ブラシ４の先端が塗料３に到達しなくなってしまう。
【００１５】
続いて、図３は本考案に係るブラシ付き塗装容器１において、押ボタン６の底部とキャップ本体５の上部内側の遊挿基部７間に介在されたスプリング８の復元力に抗して押ボタン６を押した状態であり、図示のように押ボタン６の底部にはストッパー部１３が形成されている。そして、キャップ本体５の上部内側の遊挿基部７にはストッパー係止部１４が形成されたており、押ボタン６を時計方向に４５度回動することによって、ストッパー部１３が上記ストッパー係止部１４に係止されるようになっている。これによって、上記押ボタン６を押下げ位置に係止することができ、図３のようにブラシ４の先端を容器２の底面に接することが可能となり、容器２内の塗料３の残量が少なくなった場合でも最後まで使い切ることができるようになる。
【００１６】
更に、図３のように容器２からキャップ本体５を外した状態から、キャップ本体５を時計方向にやや回動して、容器２とキャップ本体５
とを外れない状態とした上で、本考案に係る押ボタン６を数回押す（キャップ本体５に押ボタン６を係止しない状態で）と、図中のブラシ４は塗料３中で上下運動を繰り返して塗料３を万遍なく撹拌できるので、これによって金粉・銀粉１５が混入されているタイプの塗料３の使用の際にも、容器２本体を振り動かして撹拌せずとも容器２の底に沈殿している金粉、銀粉１５を塗料３中に均一に分散した状態に戻してから被塗体に塗装することができるようになる。
【産業上の利用可能性】
【００１７】
本考案に係るブラシ付き塗装容器は、上述のように構成されていることから、以下に記載する効果を奏す。
【００１８】
第一に、本考案に係るブラシ付き塗装容器は、キャップ本体に具備されている押ボタンを押下げ位置に係止することができ、容器２からキャップ本体５を外した状態でもブラシ先端を容器底面に接することができるので容器内塗料の残量が少なくなった場合でも最後まで使い切ることができるという効果がある。
【００１９】
第二に、本考案に係るブラシ付き塗装容器は、キャップ本体に具備されている押ボタンを数回押すことによって、ブラシが塗料中で上下運動を繰り返し塗料を万遍なく撹拌するので、容器底に沈殿している金粉、銀粉等を塗料中に均一に分散した状態に戻すことが容易にできるという効果もある。
【図面の簡単な説明】
【００２０】
【図１】本考案に係るブラシ付き塗装容器のキャップ本体を締め付けた状態の模式的断面図。
【図２】本考案に係るブラシ付き塗装容器のキャップ本体を外した状態の模式的断面図。
【図３】本考案に係るブラシ付き塗装容器のキャップ本体を外した状態で押ボタンを押し押下げ位置に係止した際の模式的断面図。
【図４】特開２００３−２００６２号に係るブラシ付き蓋及びそれを備えた容器の模式的断面図。
【図５】広く知られているマニキュア用のブラシ付き容器の模式的断面図。
【符号の説明】
【００２１】
１      本考案に係るブラシ付き塗装容器
２      容器
３      塗料
４      ブラシ
５      キャップ本体
６      押ボタン
７      遊挿基部
８      スプリング
９      ボタン頭部
１０    スライド部
１１    液漏れ防止中栓
１２    液漏れ防止外栓
１３    ストッパー部
１４    ストッパー係止部
１５    金粉・銀粉
５０    蓋
５１    容器
５２    塗料
５３    取付部
５４    ブラシ
５５    バネ
１００  蓋
１０１  容器
１０２  ブラシ
１０３  取付部
１０４  塗料
【図１】
0003102984.tif 000003
【図２】
0003102984.tif 000004
【図３】
0003102984.tif 000005
【図４】
0003102984.tif 000006
【図５】
0003102984.tif 000007